(57)【要約】      （修正有）【課題】希望する構造物（便器，シャワー，寛ぎ用椅子，車椅子，好みのベット等）に運ばれて来た被介護人の尻部に当接している尻部保持体を尻部から挿脱しこれを安定保持する尻部保持体安定保持具を提供する。【解決手段】尻部保持体安定保持具は側面板１とこれを支持する支持構造体２からなり、構造物に保持されている被介護人１３の尻部１４を保持する尻部保持体１２を安定的に搭載保持するものからなる。この尻部保持体安定保持具１００の側面板１は構造物の上面と同一高さで水平に張り出しているものからなる。【選択図】図１
0003197005.tif 000002
【実用新案登録請求の範囲】
【請求項１】
身体が不自由で自力で自分の希望する次工程側の構造物（例えば、便器，シャワー，寛ぎ用椅子，車椅子，好みのベット等）に移動することが不自由な被介護人をその尻背部（尻部と背部の下端側を言う）を着座させて移動出来る構造からなる介護用座接移動型補助具の尻部保持体に着座させて目的の前記構造物へ前記被介護人を移動して着座させると共にその位置で前記尻部保持体を尻背部から開放しこの尻部保持体を安定的に保持するために配置される安定保持具であって、該安定保持具は、前記構造物の上面と同一の高さ位置に配置され、前記構造物の左右の側面側から水平に張り出して配置される板状の側面板とこれを保持する支持構造体とからなることを特徴とする尻部保持体安定保持具。
【請求項２】
前記介護用座接移動型補助具は、被介護人の尻部に水平方向から挿脱可能に形成される尻部保持体を有する椅子型補助具と該椅子型補助具に連結され移動自在に形成される移動具とからなり、前記側面板は前記尻部保持体が搭載可能な大きさのものからなることを特徴とする請求項１に記載の尻部保持体安定保持具。
【考案の詳細な説明】
【技術分野】
【０００１】  本考案は、身体が不自由で自力で自分の希望する次工程側の構造物（例えば、便器，シャワー，寛ぎ用椅子，車椅子，好みのベット等）に移動が不自由の被介護人のために開発されている介護用座接移動型補助具のこの尻部保持体の上に着座して目的の構造物まで移動してその位置で前記尻部保持体を被介護人の尻部から開放して被介護人を前記構造物上に着座させる構造において開放された前記尻部保持体を安定保持するために配置される尻部保持体安定保持具に関する。
【背景技術】
【０００２】  身体の不自由な被介護人を本人の希望する構造物（便器，シャワー，寛ぎ用椅子，車椅子，好みのベット等）に移動させてその構造物を使用するようにする介護が一般に行われており、このための各種用具（補助具）が開発されているが動きの不自由の被介護人を安全に、かつ簡便に着座させて短時間で目的の構造物まで移動させ、かつ用済後に元の位置に簡単に復帰させる構造の公知の補助具は見当らない。同一出願人はその目的を果すために介護用座接移動型補助具を開発しており、この補助具は尻部保持体を被介護人の尻部に当接せしめて移動具を用いて構造物の場所まで簡単に、安全に、かつ短時間で移動出来るものである。この補助具により被介護人を構造物まで運んだ後にその位置で尻部に挿入されていた尻部保持体を開放して被介護人を構造物に直接着座せしめて目的を達することが出来る。この尻部保持体は、被介護人の尻部に当接しているため被介護人が構造物に着座した場合には構造物の上面と被介護人の尻部との間に尻部保持体が介在しているため構造物を使用するにはこの尻部保持体を引き出す必要があり、引き出し作業（尻部保持体の開放する動作）が行われる。この尻部保持体は介護用座接移動型補助具に保持されているため、開放されてもそれ自体は落下することはない。しかしながら、被介護人が構造物で用済に行なった後は再び被介護人の尻部に尻部保持体を挿入する必要がある。従って、開放された尻部保持体は挿入可能の状態で開放保持されている事が必要になる。本考案の尻部保持体はそのために開発されたものである。但し、出願人の調査によっては先行技術文献として同一・類似の物は発見出来なかったため先行技術文献の項目は削除しました。
【考案の概要】
【考案が解決しようとする課題】
【０００３】  本考案は、以上の事情に鑑みて創案されたものであり、開放された尻部保持体を安定保持して再挿入時における挿入の容易化と確実化を図る尻部保持体安定保持具を提供することを目的とする。
【課題を解決するための手段】
【０００４】  本考案は、以上の目的を達成するために、請求項１の考案は、身体が不自由で自力で自分の希望する次工程側の構造物（例えば、便器，シャワー，寛ぎ用椅子，車椅子，好みのベット等）に移動することが不自由な被介護人をその尻背部（尻部と背部の下端側を言う）を着座させて移動出来る構造からなる介護用座接移動型補助具の尻部保持体に着座させて目的の前記構造物へ前記被介護人を移動して着座させると共にその位置で前記尻部保持体を尻背部から開放しこの尻部保持体を安定的に保持するために配置される安定保持具であって、該安定保持具は、前記構造物の上面と同一の高さ位置に配置され、前記構造物の左右の側面側から水平に張り出して配置される板状の側面板とこれを保持する支持構造体とからなることを特徴とする。【０００５】  また、請求項２の考案は、前記介護用座接移動型補助具は、被介護人の尻部に水平方向から挿脱可能に形成される尻部保持体を有する椅子型補助具と該椅子型補助具に連結され移動自在に形成される移動具とからなり、前記側面板は前記尻部保持体が搭載可能な大きさのものからなることを特徴とする。
【考案の効果】
【０００６】  請求項１の尻部保持体安定保持具によれば、目的の構造物まで移動された被介護人はここで尻部保持体を開放されて構造物上に着座することにより使用状態になるが開放された尻部保持体は構造物の横にある安定保持具の側面板に搭載される。この側面板は構造物の上面と同一高さにあるため尻部保持体はその上で水平に保持される。このため、尻部保持体の被介護人の尻部に対する再挿入は容易に、かつ簡便に行われる。これにより、被介護人は元の位置に短時間で安全に復帰することが出来る。【０００７】  また、請求項２の尻部保持体安定保持具によれば、尻部保持体は介護用座接移動型補助具に水平に設けられて被介護人の尻部に容易に挿入されるものからなるため移動具により目的構造物まで移動出来、その位置において側面板に搭載されて水平に保持され安定保持される効果を上げることが出来る。
【図面の簡単な説明】
【０００８】
【図１】本考案の尻部保持体安定保持具の概要構造と構造物上に尻部保持体を介して着座している被介護人を示す模式的背面図。
【図２】図１の状態から尻部保持体を引き出してそれを尻部保持体安定保持具の側面板上に搭載保持している状態を示す模式的背面図。
【図３】構造物として便器を採用した場合における尻部保持体安定保持具を示す写真。
【図４】各種の構造物を示す模式的斜視図（ａ），（ｂ），（ｃ），（ｄ），（ｅ）。
【図５】椅子型補助具を示す平面図（ａ）とその側面図（ｂ）。
【図６】移動具を示す側面図（ａ）及び正面図（ｂ）。
【図７】椅子型補助具とこれに連結する移動具とからなる介護用座接移動型補助具とそれに着座している被介護人の状態を示す側面図。
【考案を実施するための形態】
【０００９】  以下、本考案の尻部保持体安定保持具の実施の形態を図面を参照して詳述する。
【実施例１】
【００１０】  まず、図３により尻部保持体安定保持具１００の構造を説明する。なお、図３では構造物として便器を採用しているが勿論これに限定するものではない。
図３に示すように尻部保持体安定保持具１００は側面板１とこれを水平に支持する支持構造体２とからなる。【００１１】  図３に示すように側面板１は平板状のものからなり、図略の便器（蓋のみ表示されている）の左右に便器の上面と同一高さで水平に配置されるものからなり、その材質は限定するものではなく後に説明する尻部保持体を搭載保持するものであればよい。なお、図３では木質のものが示されているがこれに限定するものではない。
支持構造体２は、図３に示すように立方枠体２ａとその左右側から斜め上方に向かって伸延する支持板２ｂとからなる。この支持板２ｂはその基端部を立方枠体２ａに固定され、その上部には側面板１が水平状態で固定されて配置される。図３では明示されていないが側面板は図略の便器の上面と同一高さ位置に配設されている。【００１２】  図４は本考案の尻部保持体安定保持具１００が配置される構造物３の数例を示すものであり、構造物３はこれ等に限定するものではない。図４（ａ）は便器３ａを示し、図４（ｂ）はシャワー３ｂを示し、図４（ａ）は寛ぎ用椅子３ｃを示し、図４（ｄ）は車椅子３ｄを示し、図４（ｅ）は好みのベット３ｅを夫々示す。勿論、構造物は図示のものに限定するものではない。【００１３】  図５（ａ），（ｂ）は介護用座接移動型補助具２００の椅子型補助具３００を示すものであり、椅子型補助具３００はベース枠体４と保持機構部５とからなる。
ベース枠体４は上水平横体６と下水平横体７とこの左右端を結ぶ垂直柱８，９とからなる。保持機構部５は上水平横体６と下水平横体７とこれに摺動自在に保持される摺動部材１０とこれに基端側を固定されて前方に向かって張り出す張り出し枠体１１とこれに保持されて中央側に向かって水平に張り出す尻部保持体１２等とからなる。この尻部保持体１２は被介護人１３の尻部１４をその上面で保持するものからなる。【００１４】  図６は移動具４００を示すものである。移動具４００はキャスタ１５を有する下面側水平枠体１６とこれに下端側を枢支されて垂直方向及び水平方向に回動するガイド筒体１７とこれに摺動自在に保持される棒体１８とこれを上下動する棒体移動体１９等とからなる。【００１５】  前記の椅子型補助具３００と移動具４００は図７に示すように連結手段５００により着脱可能に連結されているが両者は連結手段５００を使用しないで直接固定するものでもよい。
図７は以上の椅子型補助具３００と移動具４００と連結手段５００とからなる介護用座接移動型補助具２００に被介護人１３が着座した状態を示すものである。この図に明示されていないが被介護人１３はその尻部１４を椅子型補助具３００の尻部保持体１２上に当接した状態で着座して移動される。従って、介護用座接移動型補助具２００を作動することにより被介護人１３を目的（希望する）の構造物３に移動させる事が出来、かつ用済後に元の位置に復帰させることが出来る。【００１６】  図１は本考案の尻部保持体安定保持具１００の作用を説明するためのものである。なお、図１，図２は構造物３として便器３ａを使用した場合を示すものであり、他の構造物３についても同一の作用が行われるがここでは説明を省略する。【００１７】  図１に示すように、被介護人１３はその尻部１４を尻部保持体１２上に当接した状態で便器３ａまで運ばれて来る。ここで尻部保持体１２は図示のように便器３ａの上面に搭載される。次に、図２に示すように椅子型補助具３００を作動させて尻部保持体１２を尻部１４から開放する。即ち左右に移動させる。これにより、被介護人１３の尻部１４は便器３ａの上面に直接当接し便器３ａ上に保持されることになる。
以上により被介護人１３は用便を済ますことが出来る。【００１８】  構造物３の使用目的が終了したら再び椅子型補助具３００を作動させて尻部保持体１２を被介護人１３の尻部１４を保持する位置に挿入して図１に示した状態とする。この動作は難しいものではなく、被介護人１３に負担をかけずに容易に行なうことが出来る（実証済である）。
用済後、介護用座接移動型補助具２００を動作することにより被介護人１３を元の位置に復帰させることが出来る。【００１９】  以上のように、尻部保持体１２は尻部保持体安定保持具１００の側面板上に搭載されるため安定状態で保持されその挿脱は容易に、かつ安定的に行われる。【００２０】  本考案は、以上の内容のものからなるが、その内容は以上の説明に限定するものではなく、同一技術的範疇のものが適用されることは勿論である。
【産業上の利用可能性】
【００２１】  本考案の尻部保持体安定保持具は被介護人が希望する構造物に対して適用可能であり、その利用範囲は極めて広い。
【符号の説明】
【００２２】  １      側面板
２      支持構造体
２ａ    立方枠体
２ｂ    支持板
３      構造物
３ａ    便器
３ｂ    シャワー
３ｃ    寛ぎ用椅子
３ｄ    車椅子
３ｅ    好みのベット
４      ベース枠体
５      保持機構部
６      上水平横体
７      下水平横体
８      垂直柱
９      垂直柱
１０    摺動部材
１１    張り出し枠体
１２    尻部保持体
１３    被介護人
１４    尻部
１５    キャスタ
１６    下面側水平枠体
１７    ガイド筒体
１８    棒体
１９    棒体移動体
１００  尻部保持体安定保持具
２００  介護用座接移動型補助具
３００  椅子型補助具
４００  移動具
５００  連結手段
【図１】
0003197005.tif 000003
【図２】
0003197005.tif 000004
【図３】
0003197005.tif 000005
【図４】
0003197005.tif 000006
【図５】
0003197005.tif 000007
【図６】
0003197005.tif 000008
【図７】
0003197005.tif 000009